(57)【要約】【課題】スタビライザ部の位置ずれを防止し、所定の送風量が確実に得られ、かつ、良好な燃焼状態を確実に保持する温風暖房器を提供する。【解決手段】器体内に、吸気口に連通する通風ケースと、通風ケースの下端に連通し、クロスフローファン３ａを内蔵するファンケース３とを配置すると共に、通風ケース内に燃焼筺５を配置し、クロスフローファン３ａの作動により、吸気口から吸引される空気に、燃焼筺５から排出される燃焼排ガスを混合させ、温風として吹出口から吹出させるようにし、通風ケースの左右の側板２０，２１間の空間を上方から前方に亘って覆う通風ケースの覆板２２の前面板部２２０の下端に、ファンケース３のスタビライザ部９を一体に形成する温風暖房器において、スタビライザ部９の左右の各側縁に固定用の舌片部９４を形成し、ファンケース３の左右の側板３０，３１に舌片部９４を締結する。【選択図】  図２
2004271089.tif 000002
【特許請求の範囲】
【請求項１】
背面の吸気口と前面下部の吹出口とを有する器体内に、吸気口に連通する通風ケースと、通風ケースの下端に連通し、クロスフローファンを内蔵するファンケースとを配置すると共に、通風ケース内にバーナを内蔵する燃焼筺を配置し、クロスフローファンの作動により、吸気口から吸引される空気に、燃焼筺から排出される燃焼排ガスを混合させ、温風として吹出口から吹出させるようにし、通風ケースの左右の側板間の空間を上方から前方に亘って覆う通風ケースの覆板の前面板部の下端に、ファンケースのスタビライザ部を一体に形成する温風暖房器において、
スタビライザ部の左右の各側縁に固定用の舌片部を形成し、ファンケースの左右の側板に舌片部を締結することを特徴とする温風暖房器。
【請求項２】
前記スタビライザ部は、前記前面板部の下方で、後方に向かって窪んだ形状であることを特徴とする請求項１記載の温風暖房器。
【請求項３】
前記舌片部は、スタビライザ部の左右の側縁であって、クロスフローファンに最も接近する位置の近傍に形成されていることを特徴とする請求項１又は２記載の温風暖房器。
【請求項４】
前記ファンケースの左右の側板の前縁には、フランジ部が形成され、
このフランジ部に、前記舌片部を前方から締結することを特徴とする請求項１乃至３記載の温風暖房器。
【発明の詳細な説明】
【０００１】
【発明の属する技術分野】
本発明は、送風機としてクロスフローファンを用いる温風暖房器に関する。
【０００２】
【従来の技術】
従来、背面の吸気口と前面下部の吹出口とを有する器体内に、吸気口に連通する通風ケースと、通風ケースの下端に連通し、クロスフローファンを内蔵するファンケースとを配置すると共に、通風ケース内にバーナを内蔵する燃焼筺を配置し、クロスフローファンの作動により、吸気口から吸引される空気に、燃焼筺から排出される燃焼排ガスを混合させ、温風として吹出口から吹出させるようにした温風暖房器が知られている（例えば、特許文献１参照）。
【０００３】
該温風暖房器には、通風ケースの左右の側板間の空間を上方から前方に亘って覆う通風ケースの覆板が配置されている。そして、覆板の前面板部の下端には、ファンケースのスタビライザ部が、一体に形成されている。該温風暖房器は、通風ケースの覆板とファンケースのスタビライザ部とを一体に形成することにより、部品点数を少なくし、組立を簡易化したものである。尚、このスタビライザ部は、覆板の前面板部の下端をクロスフローファンに向けて後方に屈曲させて屈曲部を形成し、さらに、屈曲部の後端を上方に折り曲げて折曲部を形成して、この折曲部の上端部が、クロスフローファンへ最接近するように構成されている。
【０００４】
上記のものでは、温風暖房器組立前の物流段階で覆板を積重ねたときに、スタビライザ部が、積重ねの荷重により変形することがある。スタビライザ部は、温風暖房器が所定の送風量を得るため、また、器体内の温風の流れを安定させて、良好な燃焼状態を保持するために、クロスフローファンとの相対距離が重要である。従って、スタビライザ部が変形していると、温風暖房器を組み立てたときに、スタビライザ部とクロスフローファンとの相対距離が変化する。これによって、該温風暖房器が所定の送風量を得られず、また、器体内の温風の流れが乱れ、良好な燃焼状態を保てない虞がある。
【０００５】
【特許文献１】
特開平１１−９４３６４号公報（第１図）
【０００６】
【発明が解決しようとする課題】
本発明は上記背景を鑑みてなされたものであり、スタビライザ部の位置ずれを防止し、所定の送風量が確実に得られ、かつ、良好な燃焼状態を確実に保持する温風暖房器を提供することを目的とする。
【０００７】
【課題を解決するための手段】
上記目的を達成するため、本発明では、背面の吸気口と前面下部の吹出口とを有する器体内に、吸気口に連通する通風ケースと、通風ケースの下端に連通し、クロスフローファンを内蔵するファンケースとを配置すると共に、通風ケース内にバーナを内蔵する燃焼筺を配置し、クロスフローファンの作動により、吸気口から吸引される空気に、燃焼筺から排出される燃焼排ガスを混合させ、温風として吹出口から吹出させるようにし、通風ケースの左右の側板間の空間を上方から前方に亘って覆う通風ケースの覆板の前面板部の下端に、ファンケースのスタビライザ部を一体に形成する温風暖房器を以下の如く改良している。
【０００８】
即ち、本発明は、スタビライザ部の左右の各側縁に固定用の舌片部を形成し、ファンケースの左右の側板に舌片部を締結することを特徴とする。
【０００９】
かかる構成によれば、物流段階で覆板を積重ねたときの荷重などにより、スタビライザ部が変形した場合であっても、スタビライザ部の左右の各側縁に形成された固定用の舌片部を、ファンケースの左右の側板に締結することにより、スタビライザ部を、強制的に所定の位置に、取り付けることができる。これによって、該温風暖房器は、所定の送風量が確実に得られ、また、器体内の温風の流れを安定させて、良好な燃焼状態を確実に保持することができる。
【００１０】
なお、スタビライザ部を、上記従来例のように、覆板の前面板部の下端から後方へ屈曲した屈曲部と、屈曲部の後端から上方へ折り曲げられた折曲部とで構成し、折曲部の上端部がクロスフローファンに最接近するようにして形成した場合、折曲部の上端部は、物流段階で覆板を積重ねたときの荷重などにより、変形し易い。また、折曲部の両側縁に舌片部を形成した場合、舌片部をファンケースの左右の側板に締結することは、覆板や左右の側板が障害となり困難である。
【００１１】
これに対して、スタビライザ部を、前記前面板部の下方で、後方に向かって窪んだ形状にすることにより、スタビライザ部の後方に向かって窪んでいる部分が受ける積重ねの荷重などの力を、窪んでいる部分の上方と下方とに分散させるため、スタビライザ部が変形し難くなる。また、該構成のスタビライザ部によれば、スタビライザ部の左右の側縁に形成された舌片部を、ファンケースの左右の側板に締結するとき、覆板や左右の側板が障害とならない。
【００１２】
また、舌片部を、スタビライザ部の左右の側縁であって、クロスフローファンに最も接近する位置の近傍に形成することにより、スタビライザ部と、クロスフローファンとの相対距離を、より確実に、正しく保持することができる。
【００１３】
さらに、前記ファンケースの左右の側板の前縁に、フランジ部を形成し、このフランジ部に、前記舌片部を前方から締結することにより、温風暖房器の前面から容易に締結作業を行うことができる。
【００１４】
【発明の実施の形態】
本発明の実施の形態を、図１から図３を参照して説明する。図１は、本実施形態の温風暖房器を示す説明的断面図、図２は、本実施形態の通風ケースと、ファンケースとを示す斜視図、図３は、図１のスタビライザ部を拡大して示した説明的断面図である。
【００１５】
本実施形態の温風暖房器の器体１は、背面に吸気口１ａを有し、前面下部に吹出口１ｂを有する。器体１内には、吸気口１ａに連通する通風ケース２と、通風ケース２の下端に連通し、クロスフローファン３ａを内蔵するファンケース３とが配置されている。通風ケース２内には、バーナ４を内蔵する燃焼筺５が配置されている。そして、クロスフローファン３ａの作動により器体１の背面の吸気口１ａから通風ケース２内に空気を吸気し、燃焼筺５からの燃焼排ガスと空気とを混合して、器体１の前面下部の吹出口１ｂから温風として吹き出すようにしている。
【００１６】
燃焼筺５には、吸気口１ａからの空気の一部を燃焼用空気として取り入れる後面下部の空気取入口５ａと、上端の排気口５ｂとが開設されている。そして、排気口５ｂ上に遮熱板６を設けて、排気口５ｂからの燃焼排ガスが遮熱板６の下側を通って通風ケース２の前面側の通風路の部分に吸引排気されるようにしている。
【００１７】
図２を参照して、通風ケース２は、左右の側板２０，２１と、両側板２０，２１間の空間を上方から前方に亘って覆う覆板２２とで構成されている。両側板２０，２１は、ファンケース３の左右の側板３０，３１と一体に形成されている。また、通風ケース２の左右の側板２０，２１間に、燃焼筺用の前板５０と後板５１とを配置し、前後の各板５０，５１の側縁に突設した爪片５０ａ，５１ａを各側板２０，２１に形成したスリットに挿通して、燃焼筺５を組み立てる。また、遮熱板６をその左右の側縁に形成した上方に屈曲する引掛け片６ａにおいて両側板２０，２１の上縁部に係止し、さらに、覆板２２をその左右の側縁部において両側板２０，２１の上縁部と前縁部とにネジ止めしている。
【００１８】
バーナ４は、横方向に長手であって、バーナ本体４０と、バーナ本体４０上に取り付けた炎口板４１と、炎口板４１の上方空間を囲うように取り付けた二次空気カバー４２とを備えている。そして、炎口板４１に形成した複数のスリット状の炎口４１ａから噴出するガスを二次空気カバー４２内で二次空気を制限した状態で一次燃焼させた後、二次空気カバー４２の上面の開口部４２ａ上で二次燃焼させるようにし、窒素酸化物の発生を抑制している。また、通風ケース２の右の側板２１には、バーナ挿入孔２３が開設されており、バーナ４をこの挿入孔２３を通して燃焼筺５内に挿入自在としている。
【００１９】
バーナ本体４０には混合管部４３が一体に形成されている。燃焼筺５内にバーナ４を収納した状態で混合管部４３は、通風ケース２の右側板２１の外方に露出する。そして、右側板２１に、バーナ挿入孔２３の下縁との間に混合管部４３を挿入する空隙が空くように、バーナ挿入孔２３を覆う蓋板４４を取り付けている。また、図中７は点火プラグ、８は熱電対である。
【００２０】
覆板２２の略矩形状の前面板部２２０の下端には、図２及び図３に示すように、スタビライザ部９が一体に形成されている。スタビライザ部９は、後方に向かって窪んだ形状に形成されている。より詳細には、スタビライザ部９は、前面板部２２０の下縁から斜め後下方に屈曲して延びる上半部９１と、上半部９１の下縁から斜め前下方に屈曲して延びる下半部９２とを備える。上半部９１と下半部９２との間の折曲部９３が、クロスフローファン３ａに最も近づくようになっている。
【００２１】
下半部９２の両側縁には、折曲部９３の近傍に位置し、前方に向かって延びる一対の舌片部９４が、それぞれ連設されている。各舌片部９４の前縁には、ファンケース３の左右の各側板３０，３１の前縁に形成した、横方向外側に屈曲するフランジ部３０ａ，３１ａの前面に重なる折曲部９４ａが形成されている。この折曲部９４ａには、フランジ部３０ａ，３１ａに形成したネジ孔３０ｂ，３１ｂに合致する取付孔９４ｂが開設されている。そして、舌片部９４を、前方から取付孔９４ｂを通して、ネジ孔３０ｂ，３１ｂに螺合するネジ９５により、ファンケース３の側板３０，３１に締結している。
【００２２】
通風ケース２の前面板部２２０の四隅部には、それぞれ取付孔２２０ａが形成されている。そして、通風ケース２の両側板２０，２１の前縁には、横方向内側に屈曲するフランジ部２０ａ，２１ａが形成されている。フランジ部２０ａ，２１ａには、前面板部２２０の両側縁部をフランジ部２０ａ，２１ａにそれぞれ重ね合わせたとき、取付孔２２０ａと合致する位置に、ネジ孔２０ｂ，２１ｂが設けられている。前面板部２２０は、ネジ２４を、取付孔２２０ａを介して、ネジ孔２０ｂ，２１ｂに螺入することにより、通風ケース２の両側板２０，２１に固定される。
【００２３】
本実施形態の温風暖房器によれば、物流段階で覆板２２を積重ねたときの荷重などにより、下方の覆板２２のスタビライザ部９が変形して、覆板２２を両側板２０，２１に取り付けたときに、スタビライザ部９が所定の位置からずれたところに位置していた場合であっても、下半部９２の左右の各側縁に形成された固定用の舌片部９４を、ファンケース３の左右の側板３０，３１のフランジ部３０ａ，３１ａにネジ止めすることにより、下半部９２を強制的に所定の位置に取り付けると共に、上半部９１も所定の位置に矯正することができる。すなわち、スタビライザ部９を強制的に所定の位置に取り付けることができる。
【００２４】
これによって、本実施形態の温風暖房器は、スタビライザ部９とクロスフローファン３ａとの相対距離が正しく保持される。そのため、所定の送風量が確実に得られ、また、器体１内の温風の流れが安定し、良好な燃焼状態を確実に保持することができる。また、送風量の減少による器体１の過熱を抑制したり、スタビライザ部９の位置ずれによって、器体１内の温風の流れが乱れることによる、騒音の発生も防止することができる。
【００２５】
また、上半部９１と下半部９２との間で、折曲部９３を形成しているため、折曲部９３が受ける物流時の積重ねの荷重などの力を、上半部９１と下半部９２とに分散させる。従って、スタビライザ部９が変形し難い。また、舌片部９４を、側板３０，３１の前縁に形成されたフランジ部３０ａ，３１ａに締結するため、温風暖房器の前方から容易に、締結作業を行うことができる。また、舌片部９４が、クロスフローファン３ａに最も接近する部分、即ち、折曲部９３の、近傍に位置しているため、スタビライザ部９と、クロスフローファン３ａとの相対距離を、確実に、正しく保持することができる。さらに、通風ケース２の覆板２２と、スタビライザ部９とが一体に形成されているため、部品点数が少なく、温風暖房器を容易に組み立てることができる。
【図面の簡単な説明】
【図１】本実施形態の温風暖房器を示す説明的断面図。
【図２】本実施形態の通風ケースと、ファンケースとを示す斜視図。
【図３】図１のスタビライザ部を拡大して示した説明的断面図。
【符号の説明】
１…器体、  ２…通風ケース、  ２０，２１…側板、  ２０ａ，２１ａ…フランジ部、  ２０ｂ，２１ｂ…ネジ孔、  ２２…覆板、  ２２０…前面板部、  ２２０ａ…取付孔、  ２３…バーナ挿入孔、  ２４…ネジ、  ３…ファンケース、  ３ａ…クロスフローファン、  ３０，３１…側板、  ３０ａ，３１ａ…フランジ部、  ３０ｂ，３１ｂ…ネジ孔、  ４…バーナ、  ５…燃焼筺、  ５ａ…空気取入口、  ５ｂ…排気口、  ５０…前板、  ５１…後板、  ６…遮熱板、  ６ａ…引掛け片、  ７…点火プラグ、  ８…熱電対、  ９…スタビライザ部、  ９１…上半部、  ９２…下半部、  ９３…折曲部、  ９４…舌片部、  ９４ａ…フランジ部、  ９４ｂ…取付孔、  ９５…ネジ。
【図１】
2004271089.tif 000003
【図２】
2004271089.tif 000004
【図３】
2004271089.tif 000005